(57)【要約】  ディスプレイ台の製造作業を煩雑化することなく商品見本を確実に保持するため、後面が開口し、下端部に当接面１１ａ及び装着部１２を有するとともに、装着部１２の下端が底板部１３によって覆われたハーフ商品見本１０を保持対象とするディスプレイ台７を備えた自動販売機の商品見本展示装置において、ハーフ商品見本１０の装着部１２が挿入される装着孔３３が設けられるとともに、当接面１１ａに当接するステージ部３１ｂが設けられた支持プレート３０と、支持プレート３０とは別個に構成され、底板部１３を介してハーフ商品見本１０の当接面１１ａをステージ部３１ｂに押圧させる係止片２７が設けられたベース部材２０とを備えてディスプレイ台７が構成されている。
2019058746.tif 000002
【特許請求の範囲】
【請求項１】
後面が開口し、下端部に当接面及び装着部を有するとともに、前記装着部の下端が底板部によって覆われた商品見本を保持対象とするディスプレイ台を備えた自動販売機の商品見本展示装置において、
前記商品見本の装着部が挿入される装着孔が設けられるとともに、前記当接面に当接するステージ部が設けられた支持プレートと、
前記支持プレートとは別個に構成され、前記底板部を介して前記商品見本の当接面を前記ステージ部に押圧させる係止片が設けられたベース部材と
を備えて前記ディスプレイ台が構成されていることを特徴とする自動販売機の商品見本展示装置。
【請求項２】
前記支持プレートと前記ベース部材との間には、前記支持プレートを前記ベース部材の上面に保持させる保持機構が設けられ、
前記支持プレートの後方部には、後方に向けて下方に突出する係止爪が設けられていることを特徴とする請求項１に記載の自動販売機の商品見本展示装置。
【請求項３】
前記ベース部材には、前記商品見本を照明するための光源が取り付けられていることを特徴とする請求項１に記載の自動販売機の商品見本展示装置。
【請求項４】
前記ベース部材には、前記商品見本に対応した表示を行う表示部材を取り付けるための表示取付部が設けられていることを特徴とする請求項１に記載の自動販売機の商品見本展示装置。
【請求項５】
前記ディスプレイ台には、前記商品見本を照明するための光源が設けられ、
前記ベース部材は、透光性を有した樹脂材によって構成され、少なくとも外部に露出する部分には、前記光源からの透過光を乱反射させる凹凸が形成されていることを特徴とする請求項１に記載の自動販売機の商品見本展示装置。
【請求項６】
前記ベース部材は、前記支持プレートの装着孔に対応する部位に前記装着孔よりも内径の大きな収容孔を有し、前記収容孔の開口周縁部から前記係止片が突出したものであり、
前記係止片は、前記収容孔の開口周縁部から一旦下方に延在した後に屈曲し、前記収容孔の径方向に沿って延在していることを特徴とする請求項１に記載の自動販売機の商品見本展示装置。
【発明の詳細な説明】
【技術分野】
【０００１】
本発明は、自動販売機に商品見本を展示するための装置に関するものである。
【背景技術】
【０００２】
瓶、缶、ボトル等の容器に入った商品を販売する自動販売機では、機器筐体の前面にディスプレイ室が設けられている。ディスプレイ室は、商品見本を展示することによって商品の販売促進を図るものである。商品見本としては、販売商品と同等の外形形状を有した樹脂製のもので、特に、前後に２分割した場合の前半部分のみから成り、後面が開口したものが多く適用されている。商品見本の下端面には、装着部が設けられている。装着部は、商品見本の下端部よりも一段外径が小さく、かつ下端の開口が底板部によって覆われた略半円筒状に構成されている。【０００３】
一方、商品見本を展示するディスプレイ室には、ディスプレイ台が設けられている。ディスプレイ台は、装着部を介して商品見本を保持するもので、装着孔及び係止片を有している。装着孔は、商品見本の装着部が装着される部分であり、装着部の外径よりもわずかに大きな内径を有するように構成されている。係止片は、装着孔の後方側に位置する周縁部から前方に向けて突出した幅の小さい板状部分であり、前端部が漸次上方となるように傾斜している。【０００４】
このディスプレイ台に対しては、商品見本の底板部が係止片よりも下方に位置した状態で装着部を装着孔に挿入すれば、ディスプレイ台の上面に商品見本が立った姿勢で保持されることになる。通常、ディスプレイ台には、複数の装着孔が横一列に設けられており、ディスプレイ室に複数の商品見本を整列した状態で展示することが可能である（例えば、特許文献１参照）。
【先行技術文献】
【特許文献】
【０００５】
【特許文献１】特開２０１７−７３０２５号公報
【発明の概要】
【発明が解決しようとする課題】
【０００６】
上述の商品見本展示装置によれば、底板部に当接する係止片によって商品見本が下方に付勢されるため、商品見本の下端面がディスプレイ台の上面に押圧された状態となる。従って、ディスプレイ室に振動等の外力が加えられた場合にも、商品見本の向きが不用意に変更されるおそれがない。【０００７】
しかしながら、装着孔及び係止片が設けられたディスプレイ台は、構造が複雑とならざるを得ず、製造作業の煩雑化を招来するおそれがある。【０００８】
本発明は、上記実情に鑑みて、ディスプレイ台の製造作業を煩雑化することなく商品見本を確実に保持することのできる自動販売機の商品見本展示装置を提供することを目的とする。
【課題を解決するための手段】
【０００９】
上記の目的を達成するため、本発明に係る自動販売機の商品見本展示装置は、後面が開口し、下端部に当接面及び装着部を有するとともに、前記装着部の下端が底板部によって覆われた商品見本を保持対象とするディスプレイ台を備えた自動販売機の商品見本展示装置において、前記商品見本の装着部が挿入される装着孔が設けられるとともに、前記当接面に当接するステージ部が設けられた支持プレートと、前記支持プレートとは別個に構成され、前記底板部を介して前記商品見本の当接面を前記ステージ部に押圧させる係止片が設けられたベース部材とを備えて前記ディスプレイ台が構成されていることを特徴とする。【００１０】
また本発明は、上述した自動販売機の商品見本展示装置において、前記支持プレートと前記ベース部材との間には、前記支持プレートを前記ベース部材の上面に保持させる保持機構が設けられ、前記支持プレートの後方部には、後方に向けて下方に突出する係止爪が設けられていることを特徴とする。【００１１】
また本発明は、上述した自動販売機の商品見本展示装置において、前記ベース部材には、前記商品見本を照明するための光源が取り付けられていることを特徴とする。【００１２】
また本発明は、上述した自動販売機の商品見本展示装置において、前記ベース部材には、前記商品見本に対応した表示を行う表示部材を取り付けるための表示取付部が設けられていることを特徴とする。【００１３】
また本発明は、上述した自動販売機の商品見本展示装置において、前記ディスプレイ台には、前記商品見本を照明するための光源が設けられ、前記ベース部材は、透光性を有した樹脂材によって構成され、少なくとも外部に露出する部分には、前記光源からの透過光を乱反射させる凹凸が形成されていることを特徴とする。【００１４】
また本発明は、上述した自動販売機の商品見本展示装置において、前記ベース部材は、前記支持プレートの装着孔に対応する部位に前記装着孔よりも内径の大きな収容孔を有し、前記収容孔の開口周縁部から前記係止片が突出したものであり、前記係止片は、前記収容孔の開口周縁部から一旦下方に延在した後に屈曲し、前記収容孔の径方向に沿って延在していることを特徴とする。
【発明の効果】
【００１５】
本発明によれば、ディスプレイ台を支持プレート及びベース部材を備えて構成し、かつ支持プレートに装着孔を設けるとともに、ベース部材に係止片を設けるようにしている。このため、支持プレート及びベース部材双方の構造を単純化することができ、製造作業の容易化を図ることが可能となる。
【図面の簡単な説明】
【００１６】
【図１】図１は、本発明の実施の形態である商品見本展示装置を適用した自動販売機を前面側から見た斜視図である。
【図２】図２は、図１に示した自動販売機に適用する背面板、ディスプレイ台及び商品見本を前面側から見た斜視図である。
【図３】図３は、図２に示した背面板、ディスプレイ台及び商品見本を前面側斜め上方から見た図である。
【図４】図４は、図２に示した背面板、ディスプレイ台及び商品見本の一部を後面側から見た斜視図である。
【図５】図５は、図２に示した商品見本を示すもので、（ａ）は前面側下方から見た斜視図、（ｂ）は後面側上方から見た斜視図である。
【図６】図６は、図２に示したディスプレイ台及び光源、表示部材を前面側上方から見た分解斜視図である。
【図７】図７は、図２に示したディスプレイ台を構成するベース部材の要部拡大斜視図である。
【図８】図８は、図２に示したディスプレイ台を前面側斜め下方から見た斜視図である。
【図９】図９は、図２に示したディスプレイ台の拡大断面側面図である。
【図１０】図１０は、図２に示したディスプレイ台を後面側から見た要部拡大斜視図である。
【発明を実施するための形態】
【００１７】
以下、添付図面を参照しながら本発明に係る自動販売機の商品見本展示装置の好適な実施の形態について詳細に説明する。
【００１８】
図１は、本発明の実施の形態である商品見本展示装置を適用した自動販売機を示すものである。ここで例示する自動販売機は、瓶、缶、ボトル等の容器に入った飲料を商品として販売するもので、商品を収納する機器筐体１の前面に前面扉２を備えている。前面扉２は、一方の側縁部を介して機器筐体１に支持させたもので、機器筐体１の前面開口（図示せず）を開閉することが可能である。この前面扉２には、ディスプレイ室３が設けてある。ディスプレイ室３は、その内部に複数の商品見本１０を展示するためのもので、前面が開口した矩形状に構成してある。ディスプレイ室３の前面開口は、透明の樹脂パネル４によって覆われており、外部からの異物の侵入が阻止されている一方、樹脂パネル４を介して内部を視認することは可能である。また、樹脂パネル４には、商品見本１０のそれぞれに対応して押しボタンスイッチ５が設けてある。この自動販売機では、商品見本１０によって購入商品を選択することができ、対応する押しボタンスイッチ５を押すことによって選択商品の購入が可能となる。
【００１９】
ディスプレイ室３には、背面板６の前面にディスプレイ台７が設けてある。ディスプレイ台７は、図１〜図３に示すように、複数の商品見本１０を左右方向に沿って整列した状態で保持するものである。図示の例では、背面板６の前面に上下４段のディスプレイ台７がほぼ等間隔となるように設けてある。このうち、上３段のディスプレイ台７は、それぞれ１２本の商品見本１０を保持することができるように背面板６のほぼ全幅にわたって設けてある。これに対して最下段のディスプレイ台７は、６本の商品見本１０を保持することができるように背面板６のほぼ１／２となる長さに構成してある。これらのディスプレイ台７は、互いに向かって左側に位置する端部を揃えた状態で背面板６に配設してある。なお、ディスプレイ室３に設けるディスプレイ台７の数や、ディスプレイ台７に保持することができる商品見本１０の数は必ずしも上述のものに限らない。
【００２０】
ディスプレイ台７が保持対象とする商品見本１０は、販売商品と同等の外形形状を有した樹脂製のものである。本実施の形態では、円筒状を成す商品見本（以下、区別する場合に円筒商品見本（図示せず）という）のみならず、図５に示すように、前後に２分割した場合の前半部分のみから成り、後面が開口した商品見本（以下、区別する場合にハーフ商品見本１０という）も保持することができるようにディスプレイ台７が構成してある。図からも明らかなように、ハーフ商品見本１０には、下端部に当接台部１１及び装着部１２が設けてある。当接台部１１は、横断面がほぼ矩形の中空直方体状を成すように構成した部分である。装着部１２は、当接台部１１の下面から下方に向けて突出した略半円筒状の部分であり、その下端が底板部１３によって覆われている。当接台部１１は、装着部１２の外径よりも大きな外形寸法に構成してあり、その下面において装着部１２の周囲であって、後縁を除く部位に当接面１１ａを有している。なお、図には明示していないが、ハーフ商品見本１０の外表面には、商品と同様の色彩が施されている。
【００２１】
図６に示すように、ディスプレイ台７は、ベース部材２０及び支持プレート３０を備えて構成してある。ベース部材２０は、上面板部２１、前面板部２２及び左右の側面板部２３を有したもので、透光性を有した樹脂材によって一体に成形してある。図には明示していないが、ベース部材２０の上面板部２１、前面板部２２及び左右の側面板部２３には、それぞれ透過光を乱反射させる目的で、多数の微細な凹凸を設ける加工（シボ加工）が施してある。このシボ加工は、ベース部材２０の外表面側にのみ施しても良いし、内表面側にのみ施したり、内外双方の表面に施すようにしても構わない。
【００２２】
上面板部２１は、ハーフ商品見本１０の当接台部１１を搭載することのできる前後幅を有した平板状部分である。この上面板部２１には、図６〜図９に示すように、ハーフ商品見本１０の保持数に対応した数の収容孔２４が設けてあるとともに、複数箇所にフック片（保持機構）２５及び挿通孔（保持機構）２６が設けてある。収容孔２４は、ハーフ商品見本１０の装着部１２よりも大きな内径の略円形状を成すもので、当接台部１１の左右幅と同一もしくはわずかに大きなピッチで一直線上に並設してある。フック片２５は、支持プレート３０を上面板部２１に保持させておくためのもので、上面板部２１の上面において後縁側となる部位に設けてある。より具体的に説明すると、フック片２５は、上面板部２１の上面から上方に突出した後、後方に向けてほぼ直角に屈曲したもので、上面板部２１の両端部において２つの収容孔２４の相互間となる位置に設けてある。上３段のディスプレイ台７を構成するベース部材２０については、中央部分の２カ所にもフック片２５が追加して設けてある。フック片２５の下面と上面板部２１の上面との間には、支持プレート３０の板厚よりもわずかに大きな隙間が確保してある。フック片２５の延在端部には、下方に向けて係止突起２５ａが設けてある。係止突起２５ａは、前方に向かうに従って漸次板厚が増加するように構成したものである。係止突起２５ａの前端部分には、上下方向に沿った係止面２５ｂが設けてある。係止突起２５ａの最も突出した部分と、上面板部２１の上面との間の隙間は、支持プレート３０の板厚よりも小さくなるように設定してある。挿通孔２６は、上面板部２１を貫通する矩形状の開口であり、収容孔２４の相互間となる部位に一つおきに設けてある。
【００２３】
また、上面板部２１には、個々の収容孔２４の開口周縁部に係止片２７が設けてあるとともに、両端部に支持台部２８が設けてある。係止片２７は、収容孔２４において後方側の開口周縁部から前方に向けて径方向に延在した幅の小さい板状部分であり、前端部が収容孔２４の中心を超えて前方に位置している。係止片２７の後端部は、上面板部２１に沿って延在している。係止片２７の前端部は、前方に向けて漸次下方に延在した後、上方に向けて湾曲し、前方に向けて漸次上方となるように傾斜している。図９からも明らかなように、係止片２７は、収容孔２４の開口周縁部から一旦下方に延在した後に前方に向けて屈曲しており、円筒商品見本（図示せず）の収容孔２４への挿入を妨げることがない。支持台部２８は、上面板部２１の下面から下方に突出した台状部分であり、突出端部に支持面２８ａを有している。支持面２８ａは、前方に向けて漸次下方となるように傾斜した下向きの平面であり、係止片２７よりも下方となる部位に設けてある。上３段のディスプレイ台７を構成するベース部材２０には、上面板部２１の中央部分にも支持台部２８が追加して設けてある。
【００２４】
ベース部材２０の前面板部２２は、図６〜図９に示すように、上面板部２１の前縁から下方に向けてほぼ直角に延在した部分である。この前面板部２２の下縁部は、前方に向けて屈曲した後、さらに上方に向けて屈曲しており、ベース部材２０の前面に上方に開口する収容溝（表示取付部）２２ａを構成している。
【００２５】
側面板部２３は、上面板部２１の両側縁部から下方に向けて延在した部分であり、幅広部２３ａ及びガイド部２３ｂを有している。幅広部２３ａは、下方への延在長さが前面板部２２よりも大きな平板状部分であり、上面板部２１及び前面板部２２に対してほぼ直角となるように設けてある。これに対してガイド部２３ｂは、下方への延在長さが前面板部２２とほぼ同じであり、上面板部２１の前方側隅部となる部位において幅広部２３ａの上端部から前面板部２２に向けて湾曲するように設けてある。図９からも明らかなように、ガイド部２３ｂは、内周側表面が前面板部２２の前面よりも前方に位置するように構成してある。
【００２６】
一方、ディスプレイ台７の支持プレート３０は、図６及び図１０に示すように、上方カバー部３１及び後方カバー部３２を有したもので、鉄等の金属板によって一体に成形してある。上方カバー部３１は、ベース部材２０に対して上面板部２１の上面を覆うように配置される部分であり、直線状を成す後縁板部３１ａの前方に複数のステージ部３１ｂを並設した形状を成している。ステージ部３１ｂは、ハーフ商品見本１０の当接台部１１よりも小さい外径を有し、かつ個々の中心部に装着孔３３を有した円環の平板状を成すもので、装着孔３３の中心が収容孔２４と同一のピッチとなるように設けてある。装着孔３３は、ハーフ商品見本１０の装着部１２よりもわずかに大きく、収容孔２４よりも小さい内径の略円形状を成すものである。個々の装着孔３３には、互いに対向する内周部に係止用切欠３４が設けてある。係止用切欠３４は、複数の装着孔３３の中心を結ぶ仮想の直線上に形成した略矩形の切欠である。図からも明らかなように、複数のステージ部３１ｂを並設した上方カバー部３１の前縁部は、ステージ部３１ｂの外周に沿って複数の円弧が並設した形状を成している。隣接する２つのステージ部３１ｂと後縁板部３１ａとの間には、それぞれ略三角形状の抜き孔（保持機構）３５が確保してある。抜き孔３５は、ベース部材２０の上面板部２１に設けたフック片２５を挿通させることのできる大きさに形成してある。
【００２７】
また、上方カバー部３１には、係合孔（保持機構）３６及び係合爪片（保持機構）３７が設けてある。係合孔３６は、後縁板部３１ａにおいて抜き孔３５に対応する部位に形成した矩形状の開口である。この係合孔３６は、ベース部材２０のフック片２５に対応する部位に設けてある。係合爪片３７は、隣接するステージ部３１ｂの相互間においてベース部材２０の挿通孔２６に対応する部位から前方に向けて突出したものである。個々の係合爪片３７は、上方カバー部３１から一旦下方に延在した後、前方に向けて屈曲している。係合爪片３７の屈曲した前端部と上方カバー部３１との間には、ベース部材２０の板厚に相当する間隔が確保してある。係合爪片３７は、上方カバー部３１によってベース部材２０の上面板部２１を覆った場合に屈曲した前端部が挿通孔２６を通過し、上面板部２１の裏面に当接することが可能である。
【００２８】
支持プレート３０の後方カバー部３２は、ベース部材２０の後方を覆うように配置される部分であり、上方カバー部３１の後縁から下方に向けて延在した後、下端縁部が前方に向けて漸次上方となるように屈曲している。後方カバー部３２の延在長さは、ベース部材２０の前面板部２２とほぼ同じである。この後方カバー部３２には、係止爪３８が設けてある。係止爪３８は、背面板６に設けた係止孔６ａに挿通することによって支持プレート３０を背面板６に係止させるためのもので、後方カバー部３２の両端部に設けてある。
【００２９】
上記のように構成したベース部材２０及び支持プレート３０は、支持プレート３０の抜き孔３５にベース部材２０のフック片２５を配置するとともに、係合爪片３７の前端部を挿通孔２６に配置した状態で、ベース部材２０に対して支持プレート３０を前方にスライドさせれば、両者が一体化することになる。すなわち、フック片２５の係止突起２５ａが係合孔３６に位置することにより、フック片２５と上面板部２１との間に支持プレート３０の後縁板部３１ａが挟装された状態に維持され、かつ係合爪片３７の前端部が挿通孔２６を介してベース部材２０の裏面に係合した状態に維持されるため、ベース部材２０に対する支持プレート３０の相対移動が規制される。これにより、金属製の支持プレート３０と樹脂製のベース部材２０とが一体化されたディスプレイ台７が構成される。
【００３０】
このディスプレイ台７を背面板６に取り付けるには、支持プレート３０に設けた係止爪３８を背面板６の係止孔６ａに挿通させれば良い。このように支持プレート３０の係止爪３８を介して背面板６に取り付けられたディスプレイ台７によれば、メンテナンス等において不用意にディスプレイ台７に外力が加わった場合にも、金属製の係止爪３８に損傷を来すことはなく、背面板６からディスプレイ台７が脱落する事態を招来するおそれもない。
【００３１】
図６に示すように、このディスプレイ台７には、ベース部材２０に光源４０、冷温表示帯（表示部材）５０、価格表示板（表示部材）６０が配設してある。光源４０は、図には明示していないが、複数のＬＥＤを直線状に並設することによってロッド状に構成したもので、両端部及び中央部に取付部４１を備えている。この光源４０は、図９に示すように、取付部４１を支持面２８ａに当接させた状態で支持台部２８にネジを螺合することにより、ベース部材２０の支持台部２８に取り付けられている。支持台部２８の支持面２８ａに取り付けた光源４０は、支持面２８ａによってＬＥＤの照射方向が規定されており、点灯した場合に上面板部２１の下方から前方に向けて斜め上方に光を照射するようになる。冷温表示帯５０は、透光性を有した樹脂材によって無端の帯状に構成したもので、図６に示すように、冷却用の色相（例えば、青色）と、加温用の色相（例えば、赤色）との２色に塗り分けてある。この冷温表示帯５０は、図６及び図９に示すように、ベース部材２０の前面板部２２よりも前方となる部分を通過した後、ガイド部２３ｂを経て側面板部２３の内側を通過し、支持プレート３０の後方カバー部３２よりも前方となる部分を通過してディスプレイ台７を巻回するように配設してある。ベース部材２０に対して冷温表示帯５０を適宜スライドさせれば、前面板部２２に位置する色相を変更することが可能である。価格表示板６０は、透光性を有した平板状を成すもので、前面板部２２の収容溝２２ａにおいて冷温表示帯５０よりも前方となる部位に配設してある。図には明示していないが、この価格表示板６０には、非透光性の塗料により販売する商品の価格が記載してある。図２中の符号６１は、価格表示板６０の中間部を前面板部２２に挟持させるためのクリップ部材である。
【００３２】
図１に示すように、ディスプレイ台７に設けた価格表示板６０及び冷温表示帯５０は、樹脂パネル４に設けた押しボタンスイッチ５よりも上方に位置することになる。従って、対応する押しボタンスイッチ５に対して商品の価格及び冷温状態を外部に表示することが可能である。
【００３３】
上記のように構成したディスプレイ台７に対しては、係止片２７と支持プレート３０の上方カバー部３１との間に底板部１３を挿入する状態で前方側から装着部１２を装着孔３３に挿入すれば、ディスプレイ台７の上面にハーフ商品見本１０が立った姿勢で保持されることになる。すなわち、装着部１２が装着孔３３に嵌合されるとともに、底板部１３に当接する係止片２７によってハーフ商品見本１０が下方に付勢されるため、当接台部１１の当接面１１ａがステージ部３１ｂの上面に押圧された状態となる。従って、ディスプレイ室３に振動等の外力が加えられた場合にもハーフ商品見本１０の向きが不用意に変更されるおそれがなく、ハーフ商品見本１０を確実に保持することが可能となる。
【００３４】
しかも、ディスプレイ台７は、係止片２７を有するベース部材２０と、装着孔３３を有する支持プレート３０とが別個に構成されたものであるため、ベース部材２０の形状及び支持プレート３０の形状を単純化してそれぞれを容易に製造することが可能である。
【００３５】
さらに、係止爪３８を有する支持プレート３０を金属によって成形する一方、透光性を有する樹脂材によってベース部材２０を成形するようにしている。従って、背面板６に対するディスプレイ台７の取り付け強度を確保しつつ、透過する光源４０の光によってディスプレイ台７やハーフ商品見本１０を効果的に照明して視認性を向上させることができるようになる。この場合、上述したように、光源４０の光が透過するベース部材２０には、シボ加工が施してあるため、利用者に対しては乱反射した光が届くことになり、必要以上に眩しいという印象を与えるおそれがない。加えて、ディスプレイ台７の支持プレート３０は、ハーフ商品見本１０によって覆い隠されることになる。従って、外部からは、ディスプレイ台７を視認することが困難となり、換言すれば、ハーフ商品見本１０がより注目されるようになり、商品の販売促進を図ることも可能となる。
【００３６】
ここで、実施の形態においては、ディスプレイ台７のすべてにハーフ商品見本１０を保持させるようにしているが、上述したように、ディスプレイ台７の係止片２７が収容孔２４の開口周縁部から一旦下方に延在した後に前方に向けて屈曲したものであるため、そのままの状態で円筒商品見本（図示せず）を保持させることも可能である。
【００３７】
なお、上述した実施の形態では、ベース部材２０に価格表示板６０、冷温表示帯５０及び光源４０を設けるようにしているが、必ずしも価格表示板６０、冷温表示帯５０、光源４０をベース部材２０に設ける必要はなく、例えばこれらの一部をディスプレイ室３の前面を覆う樹脂パネル４に押しボタンスイッチ５とともに設けるようにしても構わない。
【００３８】
また、背面板６に係止させるための係止爪３８を支持プレート３０に設けるようにしているが、ベース部材２０に係止爪３８を設けるようにしても良い。
【００３９】
さらに、冷温表示帯５０として無端の帯状を成すものを例示しているが、価格表示板と同様、平板状を成すものを適用しても良い。
【符号の説明】
【００４０】
３  ディスプレイ室
６  背面板
６ａ  係止孔
７  ディスプレイ台
１０  ハーフ商品見本
１１ａ  当接面
１２  装着部
１３  底板部
２０  ベース部材
２２ａ  収容溝
２４  収容孔
２５  フック片
２６  挿通孔
２７  係止片
２８  支持台部
２８ａ  支持面
３０  支持プレート
３１ｂ  ステージ部
３３  装着孔
３５  抜き孔
３６  係合孔
３７  係合爪片
３８  係止爪
４０  光源
５０  冷温表示帯
６０  価格表示板
【図１】
2019058746.tif 000003
【図２】
2019058746.tif 000004
【図３】
2019058746.tif 000005
【図４】
2019058746.tif 000006
【図５】
2019058746.tif 000007
【図６】
2019058746.tif 000008
【図７】
2019058746.tif 000009
【図８】
2019058746.tif 000010
【図９】
2019058746.tif 000011
【図１０】
2019058746.tif 000012
【国際調査報告】
2019058746.tif 000013
2019058746.tif 000014
2019058746.tif 000015